(57)【要約】【課題】２つの表示部を有し、それぞれにデータを表示することで２つのデータの合成画像をユーザに見させることができる電子ペーパ表示装置を提供すること。【解決手段】  入射光を透過させる透過状態と上記入射光を吸収する吸収状態とに画素の状態を切り替えることによって第１のデータを表示する透過型電子ペーパ１１１と、上記入射光が入射する面より遠い位置にて上記透過型電子ペーパに積層され、上記透過型電子ペーパを透過した上記入射光を反射させる反射状態と上記透過型電子ペーパを透過した上記入射光を吸収する吸収状態とを切り替えることによって第２のデータを表示する反射型電子ペーパ１１２とを有する電子ペーパ表示装置。【選択図】図２
2010169928.tif 000002
【特許請求の範囲】
【請求項１】
入射光を透過させる透過状態と前記入射光を吸収する吸収状態とに画素の状態を切り替えることによって第１のデータを表示する透過型電子ペーパと、
前記入射光が入射する面より遠い位置にて前記透過型電子ペーパに積層され、前記透過型電子ペーパを透過した前記入射光を反射させる反射状態と前記透過型電子ペーパを透過した前記入射光を吸収する吸収状態とを切り替えることによって第２のデータを表示する反射型電子ペーパと、
を備える電子ペーパ表示装置。
【請求項２】
前記第１のデータは書類情報であり、前記第２のデータは前記書類情報の少なくとも一部を隠すためのマスクである請求項１に記載の電子ペーパ表示装置。
【請求項３】
前記透過型電子ペーパと前記反射型電子ペーパとにそれぞれ表示される内容を制御する表示制御部をさらに備え、
前記表示制御部は、前記反射型電子ペーパの第２のデータの表示と非表示との切り替えを制御する請求項１または２に記載の電子ペーパ表示装置。
【請求項４】
前記マスクの位置情報を記憶するメモリ部をさらに備え、
前記表示制御部は、前記メモリ部に記憶されたマスクの位置情報に応じて前記反射型電子ペーパの所定の位置の画素を吸収状態にすることによって前記マスクを表示する、請求項３に記載の電子ペーパ表示装置。
【請求項５】
前記透過型電子ペーパの入射光が入射する面にて前記透過型電子ペーパに密着して積層されるタッチパネルをさらに備える請求項１〜４のいずれかに記載の電子ペーパ表示装置。
【請求項６】
前記反射型電子ペーパの前記透過型電子ペーパと接する面の裏面にて前記反射型電子ペーパに密着して積層されるスキャナをさらに備える請求項１〜５のいずれかに記載の電子ペーパ表示装置。
【発明の詳細な説明】
【技術分野】
【０００１】
本発明は、電子ペーパ表示装置に関する。
【背景技術】
【０００２】
近年、紙のように薄くて可搬性を持つ表示媒体である、電子ペーパに関する研究が進んでいる。電子ペーパは、２枚の基板間に電界を与えることで画像を表示するものであり、一度画像を表示させた後は、各画素に電圧をかけなくても長期間同じ画像を表示し続けることが可能な表示媒体である。
【０００３】
電子ペーパは、同じ画像であれば電力なしで半永久的に表示させることが可能であって、表示する画像の書き換え時のみ微量の電力を使用するだけであるため、省電力な表示媒体として注目されている。
【０００４】
一方、従来より暗記学習をする際に、覚えたい部分を目隠しして部分的に読めない状態と、読める状態との切り替えが出来るようにし、学習に利用するということがなされていた。
【０００５】
例えば、従来は目隠し部分を赤色のマーカーと緑色の下敷きなどを用いて、赤色のマーカーで塗りつぶした部分に緑色の下敷きを重ねることによって、マーキング部分の文字が読み取れない状態を作り出していた。
【０００６】
しかし、このように、マーカーと下敷きを用いる方法では、書類に対して書き込みをしなければいけないため、マーキングできない書類については使用できないという欠点があった。
【０００７】
そこで、電子ペーパを用いて書面の文字列の一部を目隠しできるような装置が提案されている。
【０００８】
例えば、特許文献１は、スキャナで読み込んだ書類と、記憶装置に記憶されたマスク情報及び／又はタッチパネルで指定されたマスク情報とを表示することで、読み込んだ書類に対して目隠しをすることができる電子マスク装置および電子マスク装置システムを開示している。
【０００９】
また例えば、特許文献２は、電子ペーパを用いた、可搬性のよい電子書籍に、学習支援機能が付加された電子教科書を開示している。
【先行技術文献】
【特許文献】
【００１０】
【特許文献１】特開２００６−３４９７７１号公報
【特許文献２】特開２００７−３４０４７号公報
【発明の概要】
【発明が解決しようとする課題】
【００１１】
しかし、特許文献１や特許文献２に開示された装置およびシステムにおいては、マスク情報と書面の情報とを１つの表示部に表示していた。そのため、マスク情報を消して書面の情報を再び表示したい場合には、マスクされた部分の表示を一度消去し、元の書面のデータから当該部分のデータを取得して再描画しなければならなかった。
【００１２】
例えば暗記学習に用いる場合などには、暗記した情報が正しいかどうか確認するためにマスクを解除して、マスクされていた部分の書面情報を見るといった動作が頻繁に行われる。しかし、上記のような装置ではその度にマスク部分の書面情報を取得して再描画しなければならないといった問題があった。
【００１３】
そこで、本発明は、上記問題に鑑みてなされたものであり、本発明の目的とするところは、２つの表示部を用いて、一方のデータを書き換えることなくもう一方のデータの表示と非表示とを切り替えることが可能な、新規かつ改良された電子ペーパ表示装置を提供することにある。
【課題を解決するための手段】
【００１４】
上記課題を解決するために、本発明のある観点によれば、入射光を透過させる透過状態と上記入射光を吸収する吸収状態とに画素の状態を切り替えることによって第１のデータを表示する透過型電子ペーパと、上記入射光が入射する面より遠い位置にて上記透過型電子ペーパに積層され、上記透過型電子ペーパを透過した上記入射光を反射させる反射状態と上記透過型電子ペーパを透過した上記入射光を吸収する吸収状態とを切り替えることによって第２のデータを表示する反射型電子ペーパとを有する電子ペーパ表示装置が提供される。
【００１５】
係る構成によると、表示部を２つ有するため２つのデータをそれぞれ別の表示部に表示することが出来るため、一方のデータの表示と非表示との切り替えを、もう一方のデータには手を加えることなく切り替えることができるようになる。
【００１６】
電子ペーパは表示する内容を書き換えない限り、表示に電力を必要としないため、一方のデータの表示と非表示とを切り替えても、その部分の表示をするための電力だけでよく、もう一方のデータの表示には電力がかからないため省電力である。
【００１７】
上記第１のデータは書類情報であり、上記第２のデータは上記書類情報の少なくとも一部を隠すためのマスクであってもよい。
【００１８】
この場合、ユーザは書類情報にマスクをかけた状態のデータを見ることができるようになり、書類情報を書き換えることなくマスクの表示と非表示とを切り替えることが出来るようになる。
【００１９】
また、上記透過型電子ペーパと上記反射型電子ペーパとにそれぞれ表示される内容を制御する表示制御部をさらに備え、上記表示制御部は、上記反射型電子ペーパの第２のデータの表示と非表示との切り替えを制御するものであってもよい。
【００２０】
上記マスクの位置情報を記憶するメモリ部をさらに備え、上記表示制御部は、上記メモリ部に記憶されたマスクの位置情報に応じて上記反射型電子ペーパの所定の位置の画素を吸収状態にすることによって上記マスクを表示するものであってもよい。
【００２１】
係る構成により、上記表示制御部はメモリ部に記憶されたマスクの位置情報を取り出して上記反射型電子ペーパに表示させることが出来る。ここでマスクの位置情報とはユーザが指定した位置を読み取って記憶するものであってもよいし、表示する書類情報などに予め記憶されたものをメモリ部に読み込むものであってもよい。
【００２２】
また、上記透過型電子ペーパの入射光が入射する面にて上記透過型電子ペーパに密着して積層されるタッチパネルをさらに有するものであってもよい。
【００２３】
係る構成により、ユーザの指示をタッチパネルを介して読み取り、電子ペーパ表示装置内に取り込むことができるようになる。
【００２４】
また、上記反射型電子ペーパの上記透過型電子ペーパと接する面の裏面にて上記反射型電子ペーパに密着して積層されるスキャナをさらに有するものであってもよい。
【００２５】
係る構成により、表示部に表示させるデータを自ら読み取って取り込むことができるようになり、例えば外部のサーバやＰＣなどと通信するための通信部や、外部記憶メディアからデータを取り込むためのＩ／Ｆを有する必要がなく、さらに構成を単純化することが出来るようになる。
【発明の効果】
【００２６】
以上説明したように本発明によれば、２つの表示部を用いて、一方のデータを書き換えることなくもう一方のデータの表示と非表示とを切り替えることができる。
【図面の簡単な説明】
【００２７】
【図１】本発明の第１実施形態に係る電子ペーパ表示装置の機能構成図である。
【図２】本発明の第１実施形態に係る電子ペーパ表示装置の積層構造を示す説明図である。
【図３】本発明の第1実施形態に係る電子ペーパ表示装置の表示方法を示す説明図である。
【図４】本発明の第１実施形態に係る電子ペーパ表示装置の表示部の状態と表示の関係を示す表である。
【図５】本発明の第１実施形態に係る電子ペーパ表示装置の表示例を示す説明図である。
【図６】本発明の第１実施形態に係る電子ペーパ表示装置のマスク消去処理動作を示すフローチャートである。
【図７】本発明の第１実施形態に係る電子ペーパ表示装置のマスク操作メニュー例を示す説明図である。
【図８】本発明の第１実施形態に係る電子ペーパ表示装置のマスク情報の保持方法例を示す説明図である。
【図９】本発明の第１実施形態に係る電子ペーパ表示装置の第１の変形例の機能構成図である。
【図１０】本発明の第１実施形態に係る電子ペーパ表示装置の第１の変形例の積層構造を示す説明図である。
【図１１】本発明の第１実施形態に係る電子ペーパ表示装置の第２の変形例の機能構成図である。
【図１２】従来の電子ペーパ表示装置を用いた表示例を示す説明図である。
【図１３】従来の電子ペーパ表示装置のマスク消去処理動作を示すフローチャートである。
【発明を実施するための形態】
【００２８】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００２９】
なお、以下で説明する本発明の一実施形態に係る電子ペーパ表示装置は、表示部が２層構造で形成されており、２つのデータをそれぞれ別の表示部に表示することによって、一方のデータの表示と非表示を切り替える際にもう一方のデータには手を加えることなく切り替えをすることが出来る。
【００３０】
この電子ペーパ表示装置について理解が容易になるように以下では次の順序で説明する。
１．電子ペーパ表示装置の構成
２．電子ペーパ表示装置の表示方法
３．マスク操作の一例 
４．マスクデータ保持方法の一例
５．電子ペーパ表示装置の効果の例
６．電子ペーパ表示装置の第１の変形例の構成
７．電子ペーパ表示装置の第１の変形例の効果の例
８．電子ペーパ表示装置の第２の変形例の構成
【００３１】
＜１．電子ペーパ表示装置の構成＞
まず、図１と図２とを用いて本発明の第１実施形態に係る電子ペーパ表示装置の構成について説明をする。図１は、本発明の第１実施形態に係る電子ペーパ表示装置の機能構成図である。図２は、本発明の第１実施形態に係る電子ペーパ表示装置の積層構造を示す説明図である。
【００３２】
本発明の第１実施形態に係る電子ペーパ表示装置は、ユーザに対して、例えば文字やグラフや画像などからなる書類情報の一部を目隠しするためのマスクをかけた状態に見せることが出来る。
【００３３】
従来は表示部を１つしか有していなかったため、書類情報に一部マスクをかけた状態の１つのデータを作り、そのデータを表示していた。そのため、マスクの表示と非表示とを切り替える度に書類情報の一部または全体を読み込み、表示するデータを書き換える必要があった。
【００３４】
そこで、本発明の一実施形態に係る電子ペーパ表示装置では、表示部を２つ有し、書類情報とマスクとをそれぞれ別の表示部に表示することによって、書類情報を書き換えることなく、マスクの表示と非表示とを切り替えることを可能にするものである。
【００３５】
本実施形態に係る電子ペーパ表示装置は、表示部１１と表示制御部１２とメモリ部１３とタッチパネル１４と通信部１５とを主に有する。
【００３６】
（表示部）
表示部１１は、ユーザに対して情報を表示するディスプレイである。本実施形態においては、透過型電子ペーパ１１１と反射型電子ペーパ１１２（いずれも図２を参照）の２層の構造を有することによって、書類情報とマスクとを別の表示部に表示する。この構造により、書類情報自体を書き換えることなくマスクの表示と非表示の切り替えにより書類情報の一部を表示したり目隠ししたりすることが出来る。
【００３７】
電子ペーパは一度画像を表示させた後は各画素に電圧をかけなくても表示し続けることが出来る。よって、同じ画像を表示している限りは表示に電力を必要としない。
【００３８】
透過型電子ペーパ１１１は、データを表示する第１の表示部である。入射光を透過させる透過状態と、入射光を吸収する吸収状態とを切り替えることによってデータを表示するものであって、例えばゲストホスト液晶や、電気泳動式のうち電子ペーパの面に平行な方向に電圧をかけるタイプのものなどを適用することが出来る。
【００３９】
透過型電子ペーパ１１１は、入射光が入射する面から遠い位置においてタッチパネル１４に積層され、書類情報を表示する。
【００４０】
反射型電子ペーパ１１２は、データを表示する第２の表示部である。入射光を反射させる反射状態と、入射光を吸収する吸収状態とを切り替えることによってデータを表示する機能を有する。
【００４１】
本実施形態において反射型電子ペーパ１１２は、入射光が入射する面から遠い位置において透過型電子ペーパ１１１に積層され、透過型電子ペーパ１１１を透過した光を入射光として透過型電子ペーパ１１１に表示された書類情報の一部を隠すためのマスクを表示する。
【００４２】
このように透過型電子ペーパ１１１と反射型電子ペーパ１１２を積層させて用いることによって、ユーザは透過型電子ペーパ１１１に表示された書類情報に対して反射型電子ペーパ１１２に表示されたマスクがかけられた状態のデータを見ることが出来る。
【００４３】
（表示制御部）
表示制御部１２は、表示部１１に各種の情報を表示させる機能部である。透過型電子ペーパ１１１と反射型電子ペーパ１１２とにそれぞれ表示させる内容を制御する機能を有する。例えば通信部１５から取得したファイルデータを表示部１１の透過型電子ペーパ１１１に表示させたり、例えば表示制御部１２は、メモリ部に記憶されたマスクの位置情報に応じて反射型電子ペーパにマスクを表示させたりする。
【００４４】
また、表示制御部１２は、タッチパネル１４から入力されたマスクの位置情報をメモリ部１３に記憶させるマスク登録処理を行う。また、表示制御部１２は、メモリに蓄積されたマスクの位置情報の一部もしくは全てを呼び出して反射型電子ペーパ１１２に表示させたり、表示されたマスクの一部もしくは全てを消去したりする機能を有する。
【００４５】
なお、以上に説明した表示制御部１２の各機能は実際には電子ペーパ表示装置内のＣＰＵ（図示せず。）がこれらの機能を実現する処理手順を記録したプログラムを記憶したＲＯＭやＲＡＭなど（いずれも図示せず。）の記憶媒体からプログラムを読み出し、そのプログラムを解釈して実行することにより実現される。例えばＣＰＵは、ＲＯＭに記憶されているプログラムに基づいて、ＲＡＭを作業領域として動作してもよい。
【００４６】
（メモリ部）
メモリ部１３は、データやプログラムなどを記憶しておくための記憶装置である。本実施形態においてメモリ部１３は、マスクの位置情報を記憶する。マスクの位置情報は、透過型電子ペーパ１１１に表示された書類情報に予め紐付けて記憶されたものを読み込む形であってもよいし、タッチパネルから入力された情報を読み込んで記憶するものであってもよい。
【００４７】
（タッチパネル）
タッチパネル１４は、指や専用のペンなどで画面に触れることで操作を入力する装置である。タッチパネル１４は、接触した位置を検知して画面上の位置を指定し、電子ペーパ表示装置１００に対して指示を与える。
【００４８】
本実施形態においてタッチパネル１４は、電子ペーパ表示装置１００の入射光に最も近い位置において、透過型電子ペーパ１１１に積層される。
【００４９】
タッチパネル１４は、例えば接触センサや圧力センサなどを用いて実現される。接触センサとしては、例えばマトリクススイッチ・抵抗膜方式のスイッチ・表面弾性波方式のスイッチなどを有するタッチセンサ・タッチパネル・タッチスクリーン・タッチパッドなどが挙げられる。圧力センサとしては、例えば圧電素子・圧力−電気抵抗変換素子・感圧抵抗体素子（ＦＳＲ：Ｆｏｒｃｅ  Ｓｅｎｓｉｎｇ  Ｒｅｓｉｓｔｏｒ）・ソリッドステートリレー（ＳＳＲ：Ｓｏｌｉｄ  Ｓｔａｔｅ  Ｒｅｌａｙ）を利用した圧力センサなどが挙げられる。
【００５０】
（通信部）
通信部１５は、電子ペーパ表示装置１００と例えばサーバ２００やＰＣ（Ｐｅｒｓｏｎａｌ  Ｃｏｍｐｕｔｅｒ）３００や他の電子ペーパ４００などとをネットワークで接続するためのネットワークインタフェースである。
【００５１】
ここで用いるネットワークは有線無線を問わず、例えば電話回線網、衛星通信網、インターネットなどの公衆回線網や、Ｅｔｈｅｒｎｅｔ（登録商標）を含む各種のＬＡＮ（Ｌｏｃａｌ  Ａｒｅａ  Ｎｅｔｗｏｒｋ）、ＷＡＮ（Ｗｉｄｅ  Ａｒｅａ  Ｎｅｔｗｏｒｋ）、ＩＰ−ＶＰＮ（Ｉｎｔｅｒｎｅｔ  Ｐｒｏｔｏｃｏｌ−Ｖｉｒｔｕａｌ  Ｐｒｉｖａｔｅ  Ｎｅｔｗｏｒｋ）等の専用回線網を含んでも良い。
【００５２】
通信部１５によって接続されたサーバ２００やＰＣ３００や他の電子ペーパ４００から例えば透過型電子ペーパ１１１に表示する書類情報を取得することが出来る。また、本実施形態においてはマスクの位置情報をメモリ部１３に記憶することとしたが、マスクの位置情報も通信部１５を介して取得するものとしてもよい。
【００５３】
以上、本発明の一実施形態に係る電子ペーパ表示装置１００の構成と機能について説明してきた。次に、上記で説明した２層構造の表示部１１の構成により実現できる表示の方法について詳しく説明する。
【００５４】
＜２．電子ペーパ表示装置の表示方法＞
［表示原理］
まず、図２と図３と図４とを用いて本発明の第１実施形態に係る電子ペーパ表示装置１００の表示部１１の表示方法について説明する。図３は、本発明の第1実施形態に係る電子ペーパ表示装置の表示方法を示す説明図である。図４は、本発明の第１実施形態に係る電子ペーパ表示装置の表示部の状態と表示の関係を示す表である。
【００５５】
本実施形態に係る電子ペーパ表示装置１００のユーザから見た画面表示の例であるユーザ画面３０は、透過型電子ペーパ１１１に表示された書類情報３１と反射型電子ペーパ１１２に表示されたマスクデータ３２とを合わせることによって実現される。
【００５６】
まず透過型電子ペーパ１１１は、前述の通り入射光を透過させる透過状態と、入射光を吸収する吸収状態とを切り替えることによってデータを表示する。例えば表示させる書類情報３１の文字の部分の画素３１４を吸収状態にし、背景部分の画素３１２を透過状態にすることによって反射光を使って書類情報３１を表示する。
【００５７】
例えば具体的に透過型電子ペーパ１１１にゲストホスト液晶を用いた場合を考える。ゲストホスト液晶はスメクティック液晶をホストに黒色素をゲストとしてドロップレットに分散したもので、ホメオトロピック配向の場合は色素も垂直に配向するためほとんど光を吸収せずに透過する。一方フォーカルコニック配向の場合は入射光は黒色素に吸収される。
【００５８】
このような透過状態と吸収状態とを用いることによって書類情報３１を表示することが出来る。この場合には書類情報３１の文字の部分の画素３１４をフォーカルコニック配向に、背景部分の画素３１２をホメオトロピック配向にすることにより反射光を使って書類情報を表示する。
【００５９】
上記反射光とは、ここでは反射型電子ペーパ１１２の入射光を反射させる作用によって実現されている。
【００６０】
次に反射型電子ペーパ１１２は、入射光を反射させる反射状態と、入射光を吸収する吸収状態とを切り替えることによってデータを表示する。反射型電子ペーパ１１２は、通常は反射状態であって入射光を全部反射する。よって、マスク表示に用いる場合には、マスク部分の画素３２４を吸収状態にして入射光を吸収する。
【００６１】
反射型電子ペーパ１１２の入射光は、透過型電子ペーパ１１１を透過した入射光である。透過型電子ペーパ１１１を透過して反射型電子ペーパ１１２に入射した光のうち、吸収状態の箇所（マスク部分）に入射した光は吸収され、反射状態の箇所（背景部分）に入射した光は反射する。
【００６２】
このような２枚の電子ペーパを組み合わせた本実施形態に係る電子ペーパ表示装置１００は、透過型電子ペーパ１１１において光が吸収された部分と、透過型電子ペーパ１１１を透過し、反射型電子ペーパ１１２で反射された光と、透過型電子ペーパ１１１を透過し、反射型電子ペーパ１１２で光が吸収された部分とを用いて、ユーザから見た場合にマスクされた書類情報を仮想的に表示したものである。
【００６３】
すなわち、従来のようにマスクされた書類情報のデータそのものがあるわけではなく、光の反射と吸収との組合せによって仮想的に書類情報の一部がマスクされたように見せている。
【００６４】
透過型電子ペーパ１１１の透過状態と吸収状態、反射型電子ペーパ１１２の反射状態と吸収状態の組合せには、図４で示したＡ〜Ｄの４つのパターンがある。尚、図４においては、透過型電子ペーパ１１１の状態と、反射型電子ペーパ１１２の状態との組合せによるユーザ画面３０の表示状態を示したものである。ユーザ画面３０の表示状態は説明を簡易にするため白黒ディスプレイの例を用いて表記した。
【００６５】
ユーザ画面３０は、背景部分３０２とマスク部分３０４と文字部分３０６とを有する。背景部分３０２は、パターンＡのように透過型電子ペーパ１１１が透過状態の箇所と反射型電子ペーパ１１２が反射状態の箇所が合わさった部分である。文字部分３０６は、パターンＣ，Ｄのように透過型電子ペーパ１１１が吸収状態の箇所である。透過型電子ペーパ１１１が吸収状態である時には、その箇所において反射型電子ペーパ１１２に光が入射しないので、反射型電子ペーパ１１２が反射状態であるか吸収状態であるかに関わらず、ユーザ画面３０は黒表示となる。
【００６６】
次にユーザ画面のマスク部分３０４は、パターンＢあるいはＤの箇所が見えている部分である。つまり、マスク部分３０４には、入射光が透過型電子ペーパ１１１の透過状態の箇所を透過し、反射型電子ペーパ１１２の吸収状態（マスクが表示された箇所）の箇所で吸収されて黒表示となっている部分Ｂと、入射光が透過型電子ペーパ１１１が吸収状態（文字部分）の箇所で吸収されて黒表示となっている部分Ｄとを有している。
【００６７】
このような表示方法を用いるためには入射光の側から見て、透過型電子ペーパ１１１、反射型電子ペーパ１１２の順番に積層されていることが重要である。
【００６８】
〔表示例〕
（本実施形態の一例）
次に、図５を用いて本実施形態に係る電子ペーパ表示装置１００の表示の一例について説明する。図５は本発明の一実施形態に係る電子ペーパ表示装置の表示例を示す説明図である。
【００６９】
図５に示したように、書類情報のみが表示された状態５０ａからマスクを表示する操作を行い書類情報にマスクがかかった状態５０ｂを経て、表示されたマスクのうち、選択された一部のみを消去する５０ｃの場合について考える。
【００７０】
５０ａ，５０ｂ，５０ｃはいずれもユーザが見た表示部１１の状態を示すものである。例えば５１ａは５０ａの状態の時の透過型電子ペーパの実際の表示の状態を示したものであり、５２ａは５０ａの状態の時の反射型電子ペーパの実際の表示の状態を示したものである。換言すると、５１ａの表示と５２ａの表示を重ね合わせて見るとユーザからは５０ａのように見える。
【００７１】
図５に示したように、ユーザから見た表示の状態が５０ａ，５０ｂ，５０ｃと変化しても、透過型電子ペーパ１１１の表示は５１ａ，５１ｂ，５１ｃと変化しない。電子ペーパは一度画像を表示させた後は各画素に電圧をかけなくても表示し続けることが出来る。よって、この間透過型電子ペーパ１１１は表示に関して電力を必要としない。
【００７２】
一方、反射型電子ペーパ１１２は、書類情報のみを表示する時には全体を反射状態にされる（５２ａ）。そしてマスク表示の操作が行われた場合には、所定のマスクの位置情報が取り出され、マスクを表示する箇所を吸収状態にされる（５２ｂ）。
【００７３】
また、表示したマスクを消去する場合には、マスク部分の画素は反射状態に変化させられる（５２ｃ）。
【００７４】
（従来の電子ペーパ表示装置の一例）
上記で説明した本発明の一実施形態に係る電子ペーパ表示装置の特徴の理解を助けるために、以下従来例について図１２を用いて説明する。図１２は、従来の電子ペーパ表示装置を用いた表示例を示す説明図である。
【００７５】
書類情報のみが表示された状態９０ａからマスクを表示する操作を行い書類情報にマスクがかかった状態９０ｂを経て、表示されたマスクのうち、選択された一部のみを消去する９０ｄの場合について考える。従来例の場合には、表示部が１つしかないため、表示しているデータとユーザが見ている画面の表示とは一致する。
【００７６】
まず、書類情報が表示された状態９０ａから、ユーザがマスク表示操作を行った場合、マスク情報が読み込まれ、書類情報とマスク情報とを重ね合わせたデータが作られる。その時のデータを表示した状態が９０ｂである。この状態から、マスクのうちひとつだけ消去する操作が行われたとする。
【００７７】
この時、選択されたマスク部分の画素は、一度反射状態に変えられる（９０ｃ）。そして、該当部分の書類情報が読み込まれる（９０ｄ）。
【００７８】
〔マスク表示・非表示切り替え〕
（本実施形態の一例）
上記では、マスクを個別に選んで消去する方法について説明した。本願の一実施形態に係る電子ペーパ表示装置は、このような個別消去に加えて表示しているマスク全てを消去することも出来るものとする。これらマスク消去動作について、図６のフローチャートを用いて説明する。図６は、本発明の第１実施形態に係る電子ペーパ表示装置のマスク消去処理のフローチャートである。
【００７９】
まず、ユーザは表示された全マスクを消去するか個別に消去するマスクを選択して消去するかを選択する（Ｓ１００）。個別に消去する場合には、次にユーザは消去するマスクを選択する（Ｓ１０２）。本実施形態においては、タッチパネルを用いてマスクの選択を行うものとする。しかし、マスクの選択方法はこれに限られず例えば十字キーと選択ボタンなどの入力部を設けて実現されてもよい。
【００８０】
次に選択されたマスクの部分において、反射型電子ペーパの画素を反射状態に変える（Ｓ１０４）。全マスクを消去する場合には、マスクを選択するステップはなく、反射型電子ペーパに表示された全マスク部分の画素が反射状態に変えられるだけである（Ｓ１０６）。
【００８１】
（表示切替時の電圧印加）
尚、表示部１１において表示される画像を変更する際には実際は各画素に電圧がかけられることによって制御されている。反射型電子ペーパ１１２のマスクの表示と非表示とを切り替える際には、反射型電子ペーパ１１２の全画素に対して電圧をかけてもよいし、該当するマスク部分の画素にだけ部分的に電圧をかけるのでもよい。
【００８２】
通常用いられる電子ペーパにおいて、表示する画像が変更される際には、全画素に対して同じ電圧が加えられ、一度表示を揃えてから変更する場合が多い。表示される画像のうちの一部のみが変更される場合においても、一度表示を揃える場合があるのは、表示される画像の画質向上のためである。
【００８３】
特に、パッシブマトリクス方式の電子ペーパにおいては、流す電流が大きくなった場合に、近傍の画素に対しても影響を及ぼしてしまうことがある。これを防ぐために例えば一度全画素を初期化してから表示をし直したり、全画素に対して電圧をかけたりすることがある。
【００８４】
一方、アクティブマトリクス方式の電子ペーパは、個々の画素をアクティブ素子で制御している。よって、表示される画像のうちの一部のみが変更される場合には、変更のある画素のみに電圧を加えることが容易である。
【００８５】
本実施形態に係る電子ペーパ表示装置１００においては、書類情報とマスクとが別の表示部に表示されている。書類情報とマスクを同じ表示部に表示している場合には、上記の通り電圧をかける一部分に隣接する画素に対して電圧が加わってしまった場合には画質低下に対する影響が大きい。
【００８６】
しかし、本実施形態に係る電子ペーパ表示装置１００においては、マスクは書類情報とは別に反射型電子ペーパ１１２に表示されている。マスクは単純な形状をしていることが多く、上記で説明したような境界部における画質低下の影響も比較的低いと思われる。よって、アクティブマトリクス方式の液晶を用いた場合でもパッシブマトリクス方式の液晶を用いた場合であっても、マスク部分だけに電圧をかけて表示と非表示を切り替えてもよい。
【００８７】
マスク部分だけに電圧をかけてマスクの表示と非表示とを切り替えることによって、より省電力な電子ペーパ表示装置を実現することが出来る。
【００８８】
（従来例）
次に、従来の電子ペーパ表示装置を用いた場合のマスク消去処理について図１３を用いて説明する。図１３は、従来の電子ペーパ表示装置のマスク消去処理動作を示すフローチャートである。
【００８９】
まず、ユーザは表示された全マスクを消去するか個別に消去するマスクを選択して消去するかを選択する（Ｓ２００）。個別に消去する場合には、次にユーザは消去するマスクを選択する（Ｓ２０２）。次に選択されたマスクの部分の画素を初期化する（Ｓ２０４）。次に選択されたマスク部分の書類情報を再読み込みし（Ｓ２０６）、マスク部分の画素で書類情報を再表示する（Ｓ２０８）。
【００９０】
全マスクを消去する場合には、マスクを選択するステップはなく、全画素を初期化し（Ｓ２１０），書類情報を全て再読み込みし（Ｓ２１２）、読み込んだ書類情報を再表示する（Ｓ２１４）。
【００９１】
（従来例と本発明の比較）
上記において説明した通り、本発明の一実施形態に係る電子ペーパ表示装置と従来例における電子ペーパ表示装置においては、マスクの表示と非表示とを切り替える際に本実施形態に係る電子ペーパ表示装置の方が簡易な手段で実現出来る。
【００９２】
特にマスクを消去する際に、従来例においては一度該当部分を初期化し、該当部分の書類情報を再読み込みし、表示するという動作が必要なのに対して、本発明の一実施形態に係る電子ペーパ表示装置においては、該当部分の画素の状態を変化させるだけという簡易な方法である。
【００９３】
この際、本願の一実施形態に係る電子ペーパ表示装置において書類情報は透過型電子ペーパ１１１に表示したままであるため、別途保存しておく必要がない。
【００９４】
＜３．マスク操作の一例＞
【００９５】
次に、本実施形態に係る電子ペーパ表示装置１００のマスク操作方法の一例について図７を用いて説明する。図７は、本発明の第１実施形態に係る電子ペーパ表示装置のマスク操作メニュー例を示す説明図である。
【００９６】
本発明の一実施形態に係る電子ペーパ表示装置１００はマスク操作をする際に例えばマスク登録７１、マスク登録完了７２、マスク呼び出し全部７３、マスク呼び出し個別７４、マスク消去全部７５、マスク消去個別７６のメニューを設けることが出来る。
【００９７】
これらのメニューは、例えば電子ペーパ表示装置１００の表示部上に表示してタッチパネル１４を介して操作できるようにしてもよいし、電子ペーパ表示装置１００にボタンとして備えられたものであってもよくその実施の形態は限定されるものではない。
【００９８】
〔マスク登録〕
マスク登録７１のメニューを選ぶと、この後のタッチパネル１４に対する操作をマスク領域の指定であると認識される。マスク領域の指定は例えば矩形領域の最も左上の点と、最も右下の点の２点をタッチすることで指定する。マスク領域が二行以上にまたがる場合には、左上の点と右下の点の指定を複数回繰り返す。データは、表示制御部１２を介して、メモリ部１３に蓄積される。
【００９９】
上記の登録操作が終わった後にマスク登録完了７２のメニューを選ぶと、上記の登録動作が完了される。
【０１００】
〔マスク呼び出し〕
マスク呼び出し全部７３のメニューを選択すると、メモリ部に蓄積されているマスクのデータを全て呼び出してマスクの表示を行う。
【０１０１】
また、マスク呼び出し個別７４のメニューを選択した場合には、マスクを個別に呼び出して表示することが出来る。例えば、メモリ部に蓄積されているマスクのデータをマスク呼び出し個別７４のメニューを選択する度にひとつずつ順番に呼び出して表示してもよい。
【０１０２】
また、マスク呼び出し個別７４のメニューを選択した場合の動作は上記に限られず、例えば表示可能なマスクデータの候補から、タッチパネル１４を介して選択したもののみを表示するようにしてもよい。
【０１０３】
〔マスク消去〕
マスク消去全部７５のメニューが選択された場合には、表示されているマスクの全てを消去する。すなわち、反射型電子ペーパ１１２の表示を全て反射状態にする。
【０１０４】
また、マスク消去個別７６のメニューが選択された場合には、表示されているマスクを個別に消去することが出来る。例えば、マスク消去個別７６のメニューが選択される度に表示されているマスクをひとつずつ消去するようにしてもよい。
【０１０５】
また、マスク消去個別７６のメニューが選択されると、表示されたマスクのうち、タッチパネル１４を介して指定したものを消去するようにしてもよい。
【０１０６】
＜４．マスクデータ保持方法の一例＞
次に、マスクデータの保持方法の一例について説明をする。図８は、本発明の第１実施形態に係る電子ペーパ表示装置のマスク情報の保持方法例を示す説明図である。
【０１０７】
図８に示すマスク領域１−１は、最も左上の点（ｘ１、ｙ１）８１と最も右下の点（ｘ２、ｙ２）８２とをタッチすることによって指定することが出来る。このマスクの情報は図８に表すテーブルの形で保存される。各マスクは登録する順番によって番号が振られる。また、１つのマスクが２行以上にまたがるときには、複数組のマスクデータとなるが、例えば２行にまたがった場合、（１−１，１−２）と番号を振ることで、１つのマスクデータであることを示すようにしてもよい。
【０１０８】
＜５．電子ペーパ表示装置の効果の例＞
以上説明したように、本発明の第１実施形態に係る電子ペーパ表示装置は、書類情報とマスク情報とをそれぞれ別の電子ペーパに表示する。よって、書類情報を書き換えることなく、マスク情報の表示・非表示を切り替えることが可能となる。
【０１０９】
透過型電子ペーパに表示された書類情報は、別の書類を表示するなどの操作を行うまでは書き換えられることがない。よって、同じ書類を表示している限りは、表示に電力がかからない。
【０１１０】
また、マスクの表示・非表示の切り替えは、反射型電子ペーパの黒表示と白表示を切り替えるだけという簡易な手段で実現できる。
【０１１１】
従来の表示部を１つしか有さない電子ペーパにおいては、マスクの表示・非表示の切り替え時にその都度書類情報を読み込む必要があったのに比べ、処理が単純で応答性もよく、省電力である。
【０１１２】
また、透過型電子ペーパに表示された書類情報は、書き換える必要がないため、例えば他のメモリや記憶部などに記憶しておく必要がない。
【０１１３】
＜６．電子ペーパ表示装置の第１の変形例の構成＞
次に、本実施形態に係る電子ペーパ表示装置の第１の変形例の構成について図９と図１０とを用いて説明する。図９は、本発明の第１実施形態に係る電子ペーパ表示装置の第１の変形例の機能構成図であり、図１０は、本発明の第１実施形態に係る電子ペーパ表示装置の第１の変形例の積層構造を示す説明図である。
【０１１４】
第１の変形例は、書類情報を取得する手段としてスキャナ１６を有する点が異なる構成となっている。その他の構成要素は図１と同様であるため、ここでは説明を省略する。
【０１１５】
スキャナ１６は、本実施形態に係る電子ペーパ表示装置１００内部に書類データを取り込むためのデータ取得部である。スキャナ１６は入射光が入射する面から一番遠い位置において反射型電子ペーパ１１２に積層される。
【０１１６】
スキャナ１６は、紙や本などのデータを電子ペーパ表示装置１００内に取り込む機能を有する。これによって外部の機器と通信しなくても自ら書類情報を取り込むことができるようになる。
【０１１７】
＜７．電子ペーパ表示装置の第１の変形例の効果の例＞
上記のように、電子ペーパ表示装置１００にスキャナ１６を設けることによって、本や紙などにしかない書類も電子ペーパ表示装置１００に表示させることができ、表示させた書類に対してマスクをかけることが出来る。
【０１１８】
また、マスクをかけるときには元の書類情報を書き換える必要がないため、スキャンした書類情報を一度表示してしまえば書類情報を保持しておく必要がない。
【０１１９】
また、スキャナ１６を使って書類情報を取得することができるため通信部１５を有する必要がなくさらに構成を単純化し、また軽量化することが出来る。もちろんスキャナ１６に加えて通信部１５を有する構成としてもよい。
【０１２０】
＜８．電子ペーパ表示装置の第２の変形例の構成＞
次に、本実施形態に係る電子ペーパ表示装置の第２の変形例の構成について図１１を用いて説明する。図１１は、本発明の第１実施形態に係る電子ペーパ表示装置の第２の変形例の機能構成図である。
【０１２１】
第２の変形例は、書類情報を取得する手段としてデータ取得Ｉ／Ｆ（ＩｎｔｅｒＦａｃｅ）１７を有する点が異なる構成となっている。その他の構成要素は図１と同様であるため、ここでは説明を省略する。
【０１２２】
データ取得Ｉ／Ｆ１７は、外部記憶メディア５００と接続可能なＩ／Ｆであって、この構成により外部記憶メディア５００に記憶された書類情報などを電子ペーパ表示装置１００に取り込むことが出来る。
【０１２３】
以上、添付図面を参照しながら本発明の好適な実施形態について詳細に説明したが、本発明はかかる例に限定されないことは言うまでもない。本発明の属する技術の分野における通常の知識を有する者であれば、特許請求の範囲に記載された技術的思想の範疇内において、各種の変更例または修正例に想到し得ることは明らかであり、これらについても当然に本発明の技術的範囲に属するものと了解される。
【０１２４】
例えば、上記実施形態では、書類情報を取得する手段として通信部１５を有する構成とスキャナ１６を有する構成とデータ取得Ｉ／Ｆ１７を有する構成とをそれぞれ記載したが、本発明はかかる例に限定されない。例えば、これらの取得部を複数同じ電子ペーパ表示装置内に有する構成であってもよい。
【０１２５】
尚、本明細書において、フローチャートに記述されたステップは、記載された順序に沿って時系列的に行われる処理はもちろん、必ずしも時系列的に処理されなくとも、並列的に又は個別的に実行される処理をも含む。また時系列的に処理されるステップでも、場合によっては適宜順序を変更することが可能であることは言うまでもない。
【符号の説明】
【０１２６】
１１      表示部
１２      表示制御部
１３      メモリ部
１４      タッチパネル
１１１    透過型電子ペーパ
１１２    反射型電子ペーパ
【図１】
2010169928.tif 000003
【図２】
2010169928.tif 000004
【図３】
2010169928.tif 000005
【図４】
2010169928.tif 000006
【図５】
2010169928.tif 000007
【図６】
2010169928.tif 000008
【図７】
2010169928.tif 000009
【図８】
2010169928.tif 000010
【図９】
2010169928.tif 000011
【図１０】
2010169928.tif 000012
【図１１】
2010169928.tif 000013
【図１２】
2010169928.tif 000014
【図１３】
2010169928.tif 000015